(57)【特許請求の範囲】
【請求項１】
筒体部と該筒体部に係合されたコア部とを有し、
前記筒体部は支承部と第１のテーパ部と第１の係合部とを備え、
前記コア部はチャックと第２のテーパ部と第２の係合部とを備え、
前記筒体部とコア部とは前記第１の係合部と前記第２の係合部とで係合されており、
該筒体部とコア部との係合が緩められた状態でピン状物の前記支承部への挿通と前記チャック内への挿入とがなされた後前記筒体部とコア部との係合が強化されると、前記第１のテーパ部と前記第２のテーパ部とが協働して前記チャックを締め付け、該締め付けられたチャックで前記ピン状物が保持される
ことを特徴とするピン状物保持具。
【請求項２】
前記ピン状物を前記支承部内に誘導する凹部が前記支承部の先端に備えられている
ことを特徴とする請求項１に記載のピン状物保持具。
【請求項３】
前記ピン状物を前記チャック内に誘導する凹部が前記チャックの先端に備えられている
ことを特徴とする請求項１又は請求項２に記載のピン状物保持具。
【請求項４】
前記チャックが前記ピン状物の前記チャックへの挿入量を規制する規制部を備えている
ことを特徴とする請求項１乃至請求項３の何れかに記載のピン状物保持具。
【請求項５】
前記チャックが前記ピン状物より軟質の素材で形成されている
ことを特徴とする請求項１乃至請求項４の何れかに記載のピン状物保持具。
【請求項６】
前記チャックに形成されている溝の幅が該チャックに保持されるピン状物の直径とほぼ等しくされている
ことを特徴とする請求項１乃至請求項５の何れかに記載のピン状物保持具。
【発明の詳細な説明】
【０００１】
【発明の属する技術分野】
本発明はピン状物保持具に関する。
【０００２】
【従来の技術】
従来、ピン状物保持具、例えばフェルール用ピンゲージ（以下、「ピンゲージ」という）を保持するものとして、図７、図８に示したようなピンゲージホルダ５１、或いは図９〜図１１に示したようなピンバイス６１等があった。
このうち、ピンゲージホルダ５１では、接着剤による固着５２によりピンゲージ５３がピンゲージホルダ５１に固定されている（図７、図８）。
また、ピンバイス６１では、ピンゲージ５３がチャック６２により保持固定されている（図９〜図１１。但し、これら図では、チャック６２を緩めた状態で示す）。
なお、ピンバイス６１は筒体部６３とコア部６４とから成り、筒体部６３には第１のテーパ部６６、雌ネジ６７等が形成されており、コア部６４にはチャック６２、第２のテーパ部６８、雄ネジ６９等が形成されている（雌ネジ６７、雄ネジ６９は、ネジ切りされている範囲で示す。）。
筒体部６３とコア部６４とは、雌ネジ６７と雄ネジ６９とで係合されており、これら雌ネジ６７と雄ネジ６９との螺合を緩めた状態でピンゲージ５３を挿入し、その後この螺合を強めると、第２のテーパ部６８が第１のテーパ部６６に進入し、第２のテーパ部６８が第１のテーパ部６６に締め付けられる。これで、ピンゲージ５３がチャック６２に保持される。
【０００３】
【発明が解決しようとする課題】
上記従来のピン状物保持具には、以下に述べるような問題があった。
１．ピンゲージホルダ５１（図７、図８）を使用した場合。
・使用上は良好であるが、ピンゲージ５３とピンゲージホルダ５１とが一体である為に、ピンゲージ５３が摩耗したり折れたりした場合、ピンゲージホルダ５１も一緒に廃棄しなければならず、結果として高価な物になる。
２．ピンバイス６１（図９〜図１１）を使用した場合。
・ピンゲージ５３の摩耗、折れによる交換は可能であるが、この交換の際、ガイドになるようなものが無い為に、ピンゲージ５３をピンバイス６１の中心部に簡単には位置決め出来ない。
・ピンゲージ５３の挿し込み量を規制するものが無い為、ピンゲージ５３の長さ（突出量）を規定値（例えば１２ｍｍ）にするのが難しい。
・ピンゲージ５３の抜去カ（約２ｋｇ）を保持する為、大きな回転カでコア部６４を筒体部６３にねじ込む必要がある。
理由：ピンゲージ５３は超硬材で作られており、チャック６２は焼き入れ処理がされている。この為、チャック６２によるピンゲージ５３の保持は４線保持となり、強い抜去力が得にくい。
（チャック６２は４つの保持片７１から成る。ピンゲージ５３はこの４つの保持片７１の内側の４つの峰７２で保持されるが、このとき、ピンゲージ５３、保持片７１とも上記理由で変形しない。従って、各峰７２のピンゲージ５３への接触形態は線となり、ピンゲージ５３の保持は４本の線での保持となる。）
【０００４】
本発明の目的は、上記従来のピン状物保持具の欠点を解消し、ピンゲージ等のピン状物だけの交換或いは向きを反対にしての再使用の際、ピン状物の保持具中心部への位置決めが容易な、或いはこれら交換等の際、ピン状物の長さを規定値に合せることが容易な、或いは、強いネジ締め等をしなくても所要の抜去力を保持することが容易なピン状物保持具を実現することにある。
【０００５】
【課題を解決するための手段】
上記目的達成のため請求項１の発明では、筒体部と該筒体部に係合されたコア部とを有し、前記筒体部は支承部と第１のテーパ部と第１の係合部とを備え、前記コア部はチャックと第２のテーパ部と第２の係合部とを備え、前記筒体部とコア部とは前記第１の係合部と前記第２の係合部とで係合されており、該筒体部とコア部との係合が緩められた状態でピン状物の前記支承部への挿通と前記チャック内への挿入とがなされた後前記筒体部とコア部との係合が強化されると、前記第１のテーパ部と前記第２のテーパ部とが協働して前記チャックを締め付け、該締め付けられたチャックで前記ピン状物が保持される。
また、請求項２の発明では、請求項１に記載のピン状物保持具に於て、前記ピン状物を前記支承部内に誘導する凹部が前記支承部の先端に備えられている。
また、請求項３の発明では、請求項１又は請求項２に記載のピン状物保持具に於て、前記ピン状物を前記チャック内に誘導する凹部が前記チャックの先端に備えられている。
また、請求項４の発明では、請求項１乃至請求項３の何れかに記載のピン状物保持具に於て、前記チャックが前記ピン状物の前記チャックへの挿入量を規制する規制部を備えている。
また、請求項５の発明では、請求項１乃至請求項４の何れかに記載のピン状物保持具に於て、前記チャックが前記ピン状物より軟質の素材で形成されている。
また、請求項６の発明では、請求項１乃至請求項５の何れかに記載のピン状物保持具に於て、前記チャックに形成されている溝の幅が該チャックに保持されるピン状物の直径とほぼ等しくされている。
【０００６】
【発明の実施の形態】
以下、本発明の詳細を図１〜図６に示す実施の形態例に基いて説明する。各図に於て、ピンゲージ５３は従来のものと同一で、超硬材で形成されている。理解の一助に具体的寸法を挙げれば、直径は０．１２５ｍｍ、長さは２７ｍｍとされている（以下の説明でも理解の一助に具体的寸法を挙げる。本発明は勿論これら寸法に限定されるものではない。）。
【０００７】
１１はピンゲージホルダで、筒体部１２と、これに係合されたコア部１３とから成る。ピンゲージホルダ１１は、図５に示すように全長は２２ｍｍ、直径は４ｍｍとされている。筒体部１２には、支承孔１４、第１のテーパ部１６、雌ネジ１７等が形成されている。支承孔１４は、直径０．２ｍｍ、長さ１．９ｍｍとされている。この支承孔１４は請求項にいう支承部に当る。支承孔１４の先端には０．２Ｃの面取り１８が施されている。この面取り１８は請求項にいう「ピン状物を支承部内に誘導する凹部」に当る。また、雌ネジ１７は請求項にいう第１の係合部に当る。なお、筒体部１２の外周には図５（Ａ）に示すようにローレット２０が施されているが、このローレット２０は図５（Ａ）のみに示し図１〜図３での図示は省略する。
【０００８】
コア部１３はピンゲージ５３より軟質の素材、例えばジュラルミンで形成されている。このコア部１３には、チャック１９、第２のテーパ部２１、雄ネジ２２等が形成されている。雄ネジ２２は請求項にいう第２の係合部に当り、これが筒体部１２の雌ネジ１７と螺合して筒体部１２とコア部１３とを係合させている。
チャック１９には、ピンゲージ５３の直怪に近い幅、具体的には０．１５ｍｍ幅で４つ割の溝２３が形成されている。また、チャック１９の先端には、０．３Ｃの面取り２４が施されている。この面取り２４は、請求項にいう「ピン状物をチャック内に誘導する凹部」に当る。また、チャック１９の中心の奥部は壁２６とされており、図５（Ｂ）に示すように、筒体部１２の先端からこの壁２６までの距離（ピンゲージ５３の挿入深さ）は１５ｍｍとされている。この壁２６は請求項にいう規制部に当る。
【０００９】
この実施の形態例のピンゲージホルダ１１へのピンゲージ５３の装着は次のようにして行なう。先ず、コア部１３を反時計方向に適宜回動し、第２のテーパ部２１が第１のテーパ部１６から少し離れた状態にする。この状態は、請求項にいう「筒体部とコア部との係合が緩められた状態」に当る。これでチャック１９が開くので、ピンゲージ５３を支承孔１４に挿通し、更にその端部がチャックの奥の壁２６に当るまでピンゲージ５３をチャック１９内に挿入する。このあと、コア部１３を時計方向に止まるところまで回動する。この状態は、請求項にいう「筒体部とコア部との係合が強化された状態」に当る。これにより、第１のテーパ部１６内に第２のテーパ部２１が進入し、第２のテーパ部２１が第１のテーパ部１６に締め付けられる。この結果、チャック１９がピンゲージ５３を締め付け、このピンゲージ５３を堅牢に保持する。
【００１０】
なお、チャック１９は４つの保持片２７から成る。ピンゲージ５３はこの４つの保持片２７の内側の４つの峰２８で保持される。この場合、この保持片２７を含めたコア部１３は、前述のとおりピンゲージ５３より軟質のジュラルミンで形成されている。
従って、上記４つの峰２８は、ピンゲージ５３に当接することで或る程度潰れ、ピンゲージ５３に馴染むことになる。従って、各峰２８のピンゲージ５３への接触形態は線ではなく細長い面となり、ピンゲージ５３はこの４つの面で保持される。これにより、ピンゲージ５３へのチャック１９の接触面積は従来より大幅に増え、少ない締め付けカでも大きな抜去力が確保される。
【００１１】
一方、折れや摩耗でピンゲージ５３を抜去したい場合は、コア部１３を反時計方向に適宜回し、第２のテーパ部２１が第１のテーパ部１６から少し離れた状態にする。この状態でピンゲージ５３を引っ張れば簡単に抜去出来る。この場合、抜去したピンゲージ５３の反対側、即ち今までチャック１９に保持されていた部分が未使用であった場合は、抜去したピンゲージ５３の向きを反対にして、再度ピンゲージホルダ１１に保持させれば良い。これでピンゲージ５３の消費量を半分に出来る。今までチャック１９に保持されていた部分が使用済みであった場合は、当然のことながら新しいピンゲージ５３を装着する。
【００１２】
以下、変形例について説明する。実施の形態例のピンゲージホルダ１１の保持対象はフェルール用ピンゲージ５３であった。本発明の保持対象はこれに限られるものではなく、他の部品用のピンゲージ、更には、ゲージ以外のピン状のもの全てが保持対象になる。
また、実施の形態例では、請求項にいう支承部として、支承孔１４を形成した。本発明はこれに限られるものではなく、例えばパイプを二つ割にして向い合せ、これを支承部としても良い。
また、実施の形態例では、請求項にいう第１の係合部を雌ネジ１７、同じく第２の係合部を雄ネジ２２とした。第１の係合部、第２の係合部はこれに限られるものではなく、筒体部１２とコア部１３とを係合出来るものならどんな構造でも良い（例えばクラッチ機構を用いるなど。）。
また、実施の形態例では、請求項にいう「ピン状物を支承部内に誘導する凹部」として、０．２Ｃの面取り１８を施した。この結果、この凹部は円錐台状を成しているが、本発明はこれに限られるものではなく、例えば、この凹部は球面状に形成しても良い。この点は、請求項にいう「ピン状物をチャック内に誘導する凹部」としての０．３Ｃの面取り２４に関しても同様である。
【００１３】
【発明の効果】
以上説明したように本発明では筒体部に支承部を備えた。従って、本発明によれば、フェルール用ピンゲージ等のピン状物の交換、或いは向きを反対にしての再使用の際、このピン状物が支承部により保持具中心部へ案内され、その位置決めが容易になる。
また、ピン状物が細いとき、この支承部も細いものになる。従って、ピン状物を支承部内に誘導する凹部を支承部の先端に備えたときは、ピン状物の交換、或いは向きを反対にしての再使用の際、支承部へのピン状物の差し込みが容易になる。
また、ピン状物が細いときはチャックの開口も狭いものになる。従って、ピン状物をチャック内に誘導する凹部をチャックの先端に備えたときは、ピン状物の交換、或いは向きを反対にしての再使用の際、このピン状物のチャックへの差し込みが容易になる。なお、この凹部は、チャックが狭まったまま復帰しない場合にピン状物のチャックへの差し込みを容易にするという効果も有する。
また、規制部を備えたときは、ピン状物交換等の際、その長さ（突出量）を容易に規定値に合せることができる。この長さはピン状物保持時（ネジ締め等の際）にも変化しない。
また、チャックをピン状物より軟質の素材で形成したときは、強い力でねじ締め等をしなくても容易に所要の抜去力を保持することが出来る。
また、チャックに形成されている溝２３の幅を該チャックに保持されるピン状物の直径とほぼ等しくしたときは、ネジ締め等を少しする、即ち筒体部とコア部との係合を僅かに強めるだけで、ピン状物が確実にチャックに保持される。
【図面の簡単な説明】
【図１】本発明の一実施の形態例のピンゲージホルダ１１を示す斜視図（ピンゲージ５３を保持した状態。）。
【図２】本発明の一実施の形態例のピンゲージホルダ１１を分解して示す斜視図（ピンゲージ５３も図示。）。
【図３】本発明の一実施の形態例のピンゲージホルダの筒体部１２を拡大して示す斜視図。
【図４】本発明の一実施の形態例のピンゲージホルダのコア部１３を拡大して示す斜視図。
【図５】本発明の一実施の形態例のピンゲージホルダ１１を示し、（Ａ）は平面図、（Ｂ）は（Ａ）図のＢ−Ｂ´線に沿って切断した垂直断面図、（Ｃ）は右側面図。
【図６】本発明の一実施の形態例のピンゲージホルダ１１を示し、（Ａ）は図５（Ｂ）に示されるコア部１３の断面を拡大して示す断面図、（Ｂ）は図５（Ｂ）に示される筒体部１２の断面を拡大して示す断面図。
【図７】従来のピンゲージホルダの一例５１を示す斜視図。
【図８】図７に示したピンゲージホルダ５１の寸法等を示し、（Ａ）は左側面図、（Ｂ）は正面図。
【図９】従来の市販ピンバイスの一例６１を示す斜視図（チャック６２を緩め、ピンゲージ５３を挿入した状態）。
【図１０】図９に示した市販ピンバイス６１を分解して示す斜視図（ピンゲージ５３も図示。）。
【図１１】図９に示した市販ピンバイス６１の内部等を示し、（Ａ）は左側面図、（Ｂ）はピンバイス６１の中心線を含む水平面で切断して示す水平断面図。
【符号の説明】
１１…ピンゲージホルダ              １２…筒体部
１３…コア部                        １４…支承孔
１６…第１のテーパ部                １７…雌ネジ
１８…面取り                        １９…チャック
２１…第２のテーパ部                ２２…雄ネジ
２３…４つ割の溝                    ２４…面取り
２６…壁                            ２７…保持片
２８…保持片の峰
【図１】
0003973444.tif 000002
【図２】
0003973444.tif 000003
【図３】
0003973444.tif 000004
【図４】
0003973444.tif 000005
【図５】
0003973444.tif 000006
【図６】
0003973444.tif 000007
【図７】
0003973444.tif 000008
【図８】
0003973444.tif 000009
【図９】
0003973444.tif 000010
【図１０】
0003973444.tif 000011
【図１１】
0003973444.tif 000012